【手続補正書】
【提出日】平成22年3月17日(2010.3.17)
【手続補正１】
【補正対象書類名】特許請求の範囲
【補正対象項目名】全文
【補正方法】変更
【補正の内容】
【特許請求の範囲】
【請求項１】
第１トランシーバモジュールがトランシーバモードにある場合に、第１トランシーバチャネル上においてマルチメディアサーバーモジュールから第１高周波（ＲＦ）信号を受信し、前記第１高周波（ＲＦ）信号を第１ベースバンド信号に変換する前記第１トランシーバモジュールであって、前記第１トランシーバモジュールが走査モードにある場合には、チャネル走査を実行する第１走査モジュールを含む第１トランシーバモジュールと、
第２トランシーバモジュールがトランシーバモードにある場合には、第２トランシーバチャネル上においてマルチメディアサーバーモジュールから第２高周波（ＲＦ）信号を受信し、前記第２高周波（ＲＦ）信号を第２ベースバンド信号に変換する第２トランシーバモジュールと、
前記第１トランシーバモジュール及び前記第２トランシーバモジュールに動作可能に結合されており、前記第１トランシーバ及び前記第２トランシーバの両方がトランシーバモードにある場合には、前記第１ベースバンド信号及び前記第２ベースバンド信号を合成して出力信号を生成し、前記第１トランシーバが前記走査モードにある場合には、前記第２ベースバンド信号から前記出力信号を生成する再合成モジュールとを有することを特徴とするクライアントモジュール。
【請求項２】
前記第２トランシーバモジュールは、前記第２トランシーバモジュールが走査モードにある場合に、チャネル走査を実行する第２走査モジュールを更に含む請求項１記載のクライアントモジュール。
【請求項３】
前記第１走査モジュールは、前記第２走査モジュールに動作可能に結合されており、前記第１走査モジュールは、前記第１トランシーバが前記走査モードにある場合には、第１トランシーバ走査信号をアサートし、前記第２トランシーバモジュールは、前記第１トランシーバ走査信号がアサートされている場合には、前記トランシーバモードに留まる請求項２記載のクライアントモジュール。
【請求項４】
前記チャネル走査は、代替第１トランシーバチャネルの少なくとも１つの性能パラメータを判定することを含む請求項１記載のクライアントモジュール。
【請求項５】
前記第１走査モジュールは、前記代替第１トランシーバチャネルの前記少なくとも１つの性能パラメータが性能閾値と比べて遜色ない場合に、第１トランシーバモジュールを前記トランシーバモードにスイッチングし、前記代替第１トランシーバチャネル上においてマルチメディアサーバーモジュールから前記第１高周波（ＲＦ）信号を受信するべく更に動作可能である請求項４記載のクライアントモジュール。
【請求項６】
前記第１トランシーバモジュールがトランシーバモードにある場合に、エンコード済みの信号を変調して第１高周波（ＲＦ）信号を生成し、第１トランシーバチャネル上において前記第１高周波（ＲＦ）信号を前記クライアントモジュールに伝送する第１トランシーバモジュールであって、前記第１トランシーバモジュールが走査モードにある場合にチャネル走査を実行する第１走査モジュールを含む第１トランシーバモジュールと、
第２トランシーバモジュールがトランシーバモードにある場合に、前記エンコード済みの信号を変調して第２高周波（ＲＦ）信号を生成し、第２トランシーバチャネル上において前記第２高周波（ＲＦ）信号を伝送する第２トランシーバモジュールとを有することを特徴とするマルチメディアサーバーモジュール。
【請求項７】
前記第２トランシーバモジュールは、前記第２トランシーバモジュールが走査モードにある場合に、チャネル走査を実行する第２走査モジュールを含む請求項６記載のマルチメディアサーバーモジュール。
【請求項８】
前記第１走査モジュールは、前記第２走査モジュールに動作可能に結合されており、前記第１走査モジュールは、前記第１トランシーバが前記走査モードにある場合には、第１トランシーバ走査信号をアサートし、前記第２トランシーバモジュールは、前記第１トランシーバ走査信号がアサートされている場合には、前記トランシーバモードに留まる請求項７記載のマルチメディアサーバーモジュール。
【請求項９】
前記チャネル走査は、代替第１トランシーバチャネルの少なくとも１つの性能パラメータを判定することを含む請求項６記載のマルチメディアサーバーモジュール。
【請求項１０】
前記第１走査モジュールは、前記代替第１トランシーバチャネルの前記少なくとも１つの性能パラメータが性能閾値と比べて遜色ない場合に、第１トランシーバモジュールを前記トランシーバモードにスイッチングし、前記代替第１トランシーバチャネル上において前記第１高周波（ＲＦ）信号を前記クライアントモジュールに伝送するべく更に動作可能である請求項９記載のマルチメディアサーバーモジュール。
【請求項１１】
第１トランシーバモジュールがトランシーバモードにある場合に、エンコード済みの信号を変調して第１高周波（ＲＦ）信号を生成し、第１トランシーバチャネル上において前記第１高周波（ＲＦ）信号をクライアントモジュールに伝送する段階と、
前記第１トランシーバモジュールが走査モードにある場合に、チャネル走査を実行する段階と、
第２トランシーバがトランシーバモードにある場合に、エンコード済みの信号を変調して第２高周波（ＲＦ）信号を生成し、第２トランシーバチャネル上において前記第２高周波（ＲＦ）信号を伝送する段階とを有することを特徴とする、クライアントモジュール及びマルチメディアサーバーモジュールを用いて通信を行う方法。
【請求項１２】
前記第２トランシーバモジュールが走査モードにある場合に、チャネル走査を実行する段階を更に有する請求項１１記載の方法。
【請求項１３】
前記第１トランシーバが前記走査モードにある場合に、第１トランシーバ走査信号をアサートする段階を更に有しており、
前記第２トランシーバモジュールは、前記第１トランシーバ走査信号がアサートされた場合に、前記トランシーバモードに留まる請求項１２記載の方法。
【請求項１４】
前記チャネル走査を実行する段階は、代替第１トランシーバチャネルの少なくとも１つの性能パラメータを判定する段階を含む請求項１２記載の方法。
【請求項１５】
前記代替第１トランシーバチャネルの前記少なくとも１つの性能パラメータが性能閾値と比べて遜色ない場合に、前記第１トランシーバチャネルを前記トランシーバモードにスイッチングし、前記代替第１トランシーバチャネル上において前記第１高周波（ＲＦ）信号を前記クライアントモジュールに伝送する段階を更に有する請求項１４記載の方法。
【請求項１６】
スイッチングデータを前記クライアントモジュールに伝送する段階を更に有する請求項１５記載の方法。
【請求項１７】
前記クライアントモジュールとの間で前記代替第１トランシーバチャネルへのスイッチングのアービトレーションを行う段階を更に有する請求項１６記載の方法。
【請求項１８】
前記代替第１トランシーバチャネルへのスイッチングのアービトレーションを行う段階は、前記クライアントモジュールから可能な代替第１トランシーバチャネルのクライアントモジュールリストを受信し、前記クライアントモジュールリストをマルチメディアサーバーモジュールリストと比較する段階を含む請求項１７記載の方法。
【請求項１９】
前記チャネル走査を実行する段階は、複数の代替第１トランシーバチャネルについて複数の性能パラメータを判定する段階を含む請求項１１記載の方法。
【請求項２０】
前記第１トランシーバチャネル及び前記第２トランシーバチャネルは、広帯域無線アクセスネットワークの同一のチャネルである請求項１１記載の方法。
【請求項２１】
前記第１トランシーバチャネル及び前記第２トランシーバチャネルは、広帯域無線アクセスネットワークの異なるチャネルである請求項１１記載の方法。